(57)【特許請求の範囲】
【請求項１】
リールを取り付けるためのリールシートと、リアグリップ部と、該リアグリップ部よりも前側に位置するフロントグリップ部とを備えた釣竿であって、
竿本体と、該竿本体の径の変化率よりも大きい径の変化率で大径化されたリアグリップ部が後部に一体的に形成された中空状のリアグリップ竿体とを備え、
リアグリップ竿体は、前側のストレート部と、該前側のストレート部から後方に延びていて、竿本体の径の変化率よりも大きい径の変化率で径が増加する径拡大部と、該径拡大部から後方に延びる後側のストレート部とを備え、
竿本体の後部の外側にリアグリップ竿体の前側のストレート部が重ね合わせられて接合一体化されており、
リアグリップ竿体の前側のストレート部の外側にフロントグリップ部が設けられており、
リールシートよりも後側にリアグリップ竿体の径拡大部が位置していて、径拡大部の後部と後側のストレート部からリアグリップ部が構成されていることを特徴とする釣竿。
【請求項２】
後側のストレート部の長さは、径拡大部の長さよりも短い請求項１記載の釣竿。
【請求項３】
後側のストレート部の長さは、前側のストレート部の長さよりも短い請求項１又は２記載の釣竿。
【請求項４】
リールシートは、スピニングリールを取り付けるためのものである請求項１乃至３の何れかに記載の釣竿。
【請求項５】
リールシートは、両軸リールを取り付けるためのものである請求項１乃至３の何れかに記載の釣竿。
【発明の詳細な説明】
【技術分野】
【０００１】
本発明は、フロントグリップ部とリアグリップ部を備えた釣竿に関する。
【背景技術】
【０００２】
リアグリップ部を備える場合、コルクや発泡樹脂から筒状のリアグリップ部を形成してそれを竿本体の後部外周面に装着して構成することが多い。しかしながら、リアグリップ部を竿本体とは別体構成とする場合には軽量化が困難である。
【０００３】
これに対して、下記特許文献１、２のように、中空竿体の後部を大径化してその大径化した部分をリアグリップ部とした構成のものもある。
【先行技術文献】
【特許文献】
【０００４】
【特許文献１】実公平７−３７５０１号公報
【特許文献２】特開平１１−１５５４３０号公報
【発明の概要】
【発明が解決しようとする課題】
【０００５】
本発明は、フロントグリップ部とリアグリップ部を備えた釣竿において、軽量化と高感度を課題とする。
【課題を解決するための手段】
【０００６】
本発明は上記課題を解決すべくなされたものであって、本発明に係る釣竿は、リールを取り付けるためのリールシートと、リアグリップ部と、該リアグリップ部よりも前側に位置するフロントグリップ部とを備えた釣竿であって、竿本体と、該竿本体の径の変化率よりも大きい径の変化率で大径化されたリアグリップ部が後部に一体的に形成された中空状のリアグリップ竿体とを備え、リアグリップ竿体は、前側のストレート部と、該前側のストレート部から後方に延びていて、竿本体の径の変化率よりも大きい径の変化率で径が増加する径拡大部と、該径拡大部から後方に延びる後側のストレート部とを備え、竿本体の後部の外側にリアグリップ竿体の前側のストレート部が重ね合わせられて接合一体化されており、リアグリップ竿体の前側のストレート部の外側にフロントグリップ部が設けられており、リールシートよりも後側にリアグリップ竿体の径拡大部が位置していて、径拡大部の後部と後側のストレート部からリアグリップ部が構成されていることを特徴とする。尚、竿先側を前側とし、竿尻側を後側とする。
【０００７】
該構成の釣竿にあっては、例えば魚のあたりや魚の引きなどの振動は、釣り糸からリールに伝わると共に竿本体にも伝わる。竿本体へと伝わった魚のあたり等の振動は、竿本体からリアグリップ竿体へと伝達される。そして、リアグリップ部に肘を沿えている場合には、そのリアグリップ部から肘に振動が伝わることになる。また、リアグリップ竿体からフロントグリップ部にも振動が伝わるので、該フロントグリップ部からも手に伝達されることになる。
【０００８】
特に、後側のストレート部の長さは、径拡大部の長さよりも短いことが好ましい。
【０００９】
更に、後側のストレート部の長さは、前側のストレート部の長さよりも短いことが好ましい。
【００１０】
また、リールシートは、スピニングリールを取り付けるためのものである。
【００１１】
また、リールシートは、両軸リールを取り付けるためのものである。
【発明の効果】
【００１２】
以上のように、リアグリップ部がリアグリップ竿体に一体に形成されているので軽量化でき、リアグリップ部も高感度となる。リアグリップ部に肘を沿えている場合には、そのリアグリップ部から肘に振動が伝わることになる。また、リアグリップ竿体からフロントグリップ部にも振動が伝わるので、該フロントグリップ部からも手に伝達される。
【図面の簡単な説明】
【００１３】
【図１】本発明の一実施形態における釣竿の要部を示す断面図。
【図２】同実施形態の釣竿の要部を示す拡大断面図。
【図３】同実施形態の釣竿の要部を示す拡大断面図。
【発明を実施するための形態】
【００１４】
以下、本発明の一実施形態に係る釣竿について図１〜図３を参酌しつつ説明する。図１に示すように、本実施形態における釣竿は、リールを取り付けるためのリールシート１を備えたものである。該リールシート１は、パイプシートとも称される筒状のものであって、リールシート本体１０と、可動フード体１１と、ナット１２とを備えている。リールシート本体１０は、合成樹脂等から成形により形成されたものであって、リールの脚部１００を載置するためのリール脚載置部１３と、リールの脚部１００の一方が差し込まれる固定フード部１４とを有している。尚、本実施形態ではスピニングリールを取り付けるためのリールシート１を例に説明しており、従って、図１及び図２に示すように、リールシート本体１０のリール脚載置部１３は使用状態において下側に位置する。また、リールシート本体１０の固定フード部１４は前側に位置している。リールシート本体１０の後部には雄ねじ部１５が形成されており、該雄ねじ部１５にナット１２が螺合している。ナット１２の前側に、リールの脚部１００の他方が差し込まれるフード部１１ａを有する可動フード体１１が位置している。可動フード体１１はナット１２に相対回転可能に係止されているので、ナット１２を回転させることで可動フード体１１は回転することなくナット１２と共に前後に移動する。尚、リールシート本体１０の雄ねじ部１５には前後方向に係止溝１６が形成されており、該係止溝１６に可動フード体１１の係止突部１７が係合しており、これにより可動フード体１１は回転することなく前後方向に移動できる。尚、本実施形態では係止溝１６と係止突部１７が上下一対形成されている。該可動フード体１１を前側に移動させる、即ち、固定フード部１４に接近させることでリールの脚部１００を前後に狭持しつつリールシート本体１０に固定することができる。また、可動フード体１１を後側に移動させる、即ち、固定フード部１４から離反させることでリールの脚部１００の固定状態が解除されて、リールを釣竿から取り外すことができる。
【００１５】
かかるリールシート１が装着された釣竿は、竿本体２と、該竿本体２の後側に所定長さの重ね合わせ部４を形成するようにして接合一体化されたリアグリップ竿体３とを備えている。該リアグリップ竿体３にリアグリップ部５が一体的に形成されており、該リアグリップ部５がリールシート１の後側に位置している。該リアグリップ部５は、釣竿を持っている手の肘を当てたり、両手でキャストする場合にはリールシート１を持つ手とは反対側の手で把持したりして使用される。
【００１６】
竿本体２は、プリプレグをマンドレルに巻回して中空状に形成したものであって、プリプレグの強化繊維としてはカーボン繊維やガラス繊維等が使用でき、特にカーボン繊維が好ましく、またカーボン繊維を使用する場合にはその比率を高くすることが好ましい。リアグリップ竿体３も同様であって、プリプレグをマンドレルに巻回して中空状の中空竿体を形成するが、その際に、その後部を竿本体２の径の変化率よりも大きい径の変化率で大径化することによりリアグリップ部５がリアグリップ竿体３の後部に一体的に形成されている。リアグリップ竿体３の厚さは全長に亘って略一定であり、リアグリップ部５の形状はマンドレルの後部の形状により定められる。尚、リアグリップ竿体３の厚さは、竿本体２の後部における厚さと略等しい。また、リアグリップ竿体３の前部は所定長さに亘って径一定のストレート状である。従って、リアグリップ竿体３は、前側から順に、所定長さの前側のストレート部３０、該前側のストレート部３０から大きな変化率で径が増加する径拡大部３１、径拡大部３１から後方に所定長さ伸びる径一定の後側のストレート部３２という構成になっている。尚、後側のストレート部３２の長さは、前側のストレート部３０の長さよりも短く、また径拡大部３１の長さよりも短い。この後側のストレート部３２と径拡大部３１の主に後部所定領域とからリアグリップ部５が構成されている。尚、リアグリップ竿体３の後端には尻栓３３が装着されている。
【００１７】
また、リアグリップ竿体３の前側のストレート部３０にリールシート本体１０が装着されている。リールシート本体１０はリアグリップ竿体３の外周面に発泡性合成樹脂からなるパイプ６を介して接着固定されている。このパイプ６の長さはリールシート本体１０の筒部の長さと同じであって、リールシート本体１０の筒部の内側にその全長に亘ってパイプ６が位置している。尚、パイプ６を構成する発泡性合成樹脂としては例えば硬質ウレタン樹脂が使用できる。また、パイプ６の厚さはリアグリップ竿体３の厚さよりも厚い。そして、リールシート本体１０はリアグリップ竿体３の前端面から所定距離後方に位置しており、従って、リアグリップ竿体３の前部所定領域はリールシート本体１０から前方に突出している。
【００１８】
更に、リールシート１の前側にはフロントグリップ部７が設けられている。該フロントグリップ部７は、リールシート本体１０とは別体であって、ＥＶＡ等の発泡性合成樹脂やコルク等から形成されている。フロントグリップ部７は、筒状部７０と、該筒状部７０の後端の所定箇所から後方に延設された後方延在部７１とから構成されている。図３のように、フロントグリップ部７の筒状部７０は、リールシート本体１０の前側に位置して、リールシート本体１０から前方に突出したリアグリップ竿体３の前部所定領域を覆っている。リアグリップ竿体３の前端面とフロントグリップ部７の前端面は略面一であって、従って、リールシート本体１０から前方に突出したリアグリップ竿体３の前部所定領域の全体がフロントグリップ部７の筒状部７０によって覆われることになる。尚、フロントグリップ部７の内周面がリアグリップ竿体３の外周面に接着されて固定されている。また、フロントグリップ部７の前側には環状キャップ８が装着されている。該環状キャップ８は、フロントグリップ部７の前側に位置する主部８０と、該主部８０の後端面から後方に伸びる筒状の延伸部８１とから構成される。主部８０の内周面は竿本体２の外周面に接触し、接着されている。主部８０の後端面はリアグリップ竿体３の前端面とフロントグリップ部７の前端面の少なくとも一方に当接している。図３においては、リアグリップ竿体３の前端面とフロントグリップ部７の前端面の双方が主部８０の後端面に当接した状態を示している。フロントグリップ部７の内周面の前端部は、他の部分よりも一段大径とされており、リアグリップ竿体３の外周面との間には環状の隙間９が形成されている。該環状の隙間９に環状キャップ８の延伸部８１が挿入されている。このようにリアグリップ竿体３の前側に環状キャップ８が位置して、リアグリップ竿体３の前端面が環状キャップ８の主部８０によって保護され、リアグリップ竿体３の前端部外周面が環状キャップ８の筒状の延伸部８１によって保護されると共に補強される。一方、フロントグリップ部７の後方延在部７１は、図２のように、リールシート本体１０のリール脚載置部１３とは反対側の対向した部分の外側に位置してその部分を覆っており、フロントグリップ部７の後方延在部７１の後端は、リールの脚部１００の前後方向の中央よりも後側に越えて位置している。
【００１９】
一方、上述したように、竿本体２とリアグリップ竿体３は、所定長さの重ね合わせ部４を形成するようにして接着され一体化されているが、竿本体２の後部が内側に位置し、その外側にリアグリップ竿体３の前部が位置するようにして接合されている。尚、リアグリップ竿体３は、その前側のストレート部３０において竿本体２と重ね合わせられている。そして、図３に示すように、重ね合わせ部４の後部領域４ｂがリールシート本体１０の内側に位置している。即ち、竿本体２の後端はリールシート本体１０がリアグリップ竿体３に接着された箇所の内側まで伸びており、リールシート本体１０の内側にはパイプ６を介してリアグリップ竿体３と竿本体２とが積層された状態となっている。また、リアグリップ竿体３はリールシート本体１０から所定長さ前方に突出しているので、重ね合わせ部４の前部領域４ａはリールシート本体１０の内側には位置せずにリールシート本体１０よりも前側に位置している。このリールシート本体１０よりも前側に位置している重ね合わせ部４の前部領域４ａの外側にフロントグリップ部７の筒状部７０が位置する。また、リールシート本体１０よりも前側に位置している重ね合わせ部４の前部領域４ａの長さは、リールシート１の内側に位置している重ね合わせ部４の後部領域４ｂの長さよりも長くなっている。
【００２０】
以上のように構成された釣竿にはリールが取り付けられて使用されるので、例えば魚のあたり等は釣り糸からリールに伝わると共に竿本体２にも伝わる。竿本体２へと伝わった魚のあたり等の振動は、竿本体２からリアグリップ竿体３へと伝達される。その際、重ね合わせ部４の後部領域４ｂがリールシート本体１０の内側に位置しているので、振動がリアグリップ竿体３からリールシート本体１０へと効率良く伝達され、そして、リールシート本体１０を把持する手へと伝達される。また、リアグリップ竿体３からフロントグリップ部７にも振動が伝わるので、例えば、フロントグリップ部７に指先を伸ばして当てているような場合にはその指先からも振動を感じることができる。更に、フロントグリップ部７の後方延在部７１がリール脚載置部１３とは反対側の対向部分に位置しているので、リールシート本体１０を把持する手のひらに後方延在部７１が位置し、従って、後方延在部７１からも振動を感じることができる。また、リアグリップ竿体３に伝わった振動はリアグリップ部５から肘へと伝わっていく。リアグリップ部５がリアグリップ竿体３に一体的に形成されているので感度が良く、しかもリアグリップ竿体３が軽量であるので持ち重り感も小さく容易に肘にリアグリップ部５を当てながら釣りをすることができ、釣り人は負担の小さい状況下でリアグリップ部５からも容易に振動を感じることができる。特に細い釣り糸を使用して繊細な当たりを感じることが必要なライトゲームにおいて効果的である。
【００２１】
更に、重ね合わせ部４の後部領域４ｂがリールシート本体１０の内側に位置しているので、重ね合わせ部４の後側に隣接した箇所における強度不足も発生せず、十分な強度を確保することができる。重ね合わせ部４がリールシート本体１０とオーバーラップせずに前側に離間して位置している場合には、重ね合わせ部４の後側の箇所、即ち、重ね合わせ部４とリールシート本体１０との間の箇所において強度不足が生じやすいが、重ね合わせ部４の後部領域４ｂがリールシート本体１０とオーバーラップしているので強度が確保される。その一方、リールシート本体１０よりも前側に位置している重ね合わせ部４の前部領域４ａの長さが、リールシート１の内側に位置している重ね合わせ部４の後部領域４ｂの長さよりも長いので、リールシート本体１０の前端位置において生じやすい応力集中も抑制できる。しかも、重ね合わせ部４の前端部の外側には環状キャップ８の延伸部８１が被せられているので、リアグリップ竿体３の前端部の剥離や割れなども防止される。即ち、重ね合わせ部４の前端部と後端部がそれぞれ環状キャップ８の延伸部８１とリールシート本体１０によって外側から補強されることになる。
【００２２】
尚、スピニング用のリールシート１の場合を説明したが、両軸リール用のリールシート１であってもよい。
【００２３】
また、フロントグリップ部７に後方延在部７１が設けられていない構成としてもよく、フロントグリップ部７の形状や長さも任意である。尚、フロントグリップ部７の前端面とリアグリップ竿体３の前端面とが略面一でなくてもよく、フロントグリップ部７が前側に突出していたり、逆に、リアグリップ竿体３が前側に突出していたりしてもよい。
【００２４】
更に、竿本体２は、竿先まで一本の構成であっても、複数本の構成であってもよい。また、竿本体２は中空状でなくてもよく、全体を中実状としたり、あるいは竿先など部分的に中実状としてもよい。但し、少なくとも竿本体２の後部が中空状である場合に、リールシート本体１０の内側に位置させた構成による効果が大きい。
【符号の説明】
【００２５】
１    リールシート
２    竿本体
３    リアグリップ竿体
４    重ね合わせ部
４ａ    前部領域
４ｂ    後部領域
５    リアグリップ部
６    パイプ
７    フロントグリップ部
８    環状キャップ
９    隙間
１０    リールシート本体
１１    可動フード体
１１ａ  フード部
１２    ナット
１３    リール脚載置部
１４    固定フード部
１５    雄ねじ部
１６    係止溝
１７    係止突部
３０    前側のストレート部
３１    径拡大部
３２    後側のストレート部
３３    尻栓
７０    筒状部
７１    後方延在部
８０    主部
８１    延伸部
１００    脚部
【図１】
0005972416.tif 000002
【図２】
0005972416.tif 000003
【図３】
0005972416.tif 000004